(57)【要約】【課題】  基板のたわみを防止する手段を有する有機ＥＬディスプレイを提供する。【解決手段】  有機ＥＬ素子アレイを有する基材と梁と、両者を回動可能に接続する接続部材とを有する有機ＥＬディスプレイを提供する。【選択図】  図１
2006134699.tif 000002
【特許請求の範囲】
【請求項１】
表示部に配置されている有機ＥＬ素子アレイと、前記有機ＥＬ素子アレイを配置する基材と、
前記基材の一辺に配置されている可動部材と、前記可動部を介して前記基材の前記一辺を支持する梁とを有することを特徴とする有機ＥＬディスプレイ。
【請求項２】
前記梁は別の前記有機ＥＬディスプレイの梁と前記基材の一辺の方向において接続する接続部を有していることを特徴とする請求項１に記載の有機ＥＬディスプレイ。
【請求項３】
前記梁は前記有機ＥＬ素子アレイの表示を制御するための制御回路を有していることを特徴とする請求項１に記載の有機ＥＬディスプレイ。
【請求項４】
前記梁は前記有機ＥＬ素子アレイの電源を有していることを特徴とする請求項１に記載の有機ＥＬディスプレイ。
【発明の詳細な説明】
【技術分野】
【０００１】
本発明は有機ＥＬディスプレイにかかわる。
【背景技術】
【０００２】
可撓性の基材上に有機ＥＬ素子アレイを表示部として設けている有機ＥＬディスプレイが例えば特許文献１に知られている。
【０００３】
【特許文献１】特開２００４−２８１０８６号公報
【発明の開示】
【発明が解決しようとする課題】
【０００４】
可撓性の基材上に有機ＥＬ素子アレイが配置されているため、基材が必要以上に撓むと有機ＥＬ素子アレイが破壊される可能性がある。
【０００５】
よって本発明は基材が必要以上に撓むことを防いだ有機ＥＬディスプレイを提供することを目的とする。
【課題を解決するための手段】
【０００６】
よって本発明は、表示部に配置されている有機ＥＬ素子アレイと、前記有機ＥＬ素子アレイを配置する基材と、
前記基材の一辺に配置されている可動部と、前記可動部を介して前記基材の前記一辺を支持する梁とを有することを特徴とする有機ＥＬディスプレイを提供する。
【発明の効果】
【０００７】
本発明により、梁により基材が支持されているので基材の曲がりを防ぐことが出来、有機ＥＬ素子アレイの破壊を防ぐことが出来る。更に梁に対して基材が可動である。
【発明を実施するための最良の形態】
【０００８】
（第１の実施の形態）
本実施の形態に係る有機ＥＬディスプレイの模式図を図１に示す。
【０００９】
符号１は表示部である有機ＥＬ素子アレイ、２は基材、３は梁、４は可動部材、５はつまみ、６はスイッチである。
【００１０】
有機ＥＬ素子アレイ１は複数の有機ＥＬ素子からなるもので、フルカラー表示可能な表示画面である。
【００１１】
有機ＥＬ素子アレイ１は基材２上に配置されている。基材は自重で容易に撓むような可撓性材料であっても良いし、あるいは手で力を加えることで撓む程度の部材であっても良い。あるいは手による力程度では容易に撓まない程度の部材であっても良い。部材はその厚みや材料を適宜決めればよい。
【００１２】
基材２の一辺に可動部４が配置されている。そして可動部４を介して梁３と基材２とが接続されている。可動部４はシート状の可撓性部材であっても良いしあるいはちょうつがいのような構造物でもよい。梁３は前記一辺方向に沿って配置されている。
【００１３】
本実施形態に係る有機ＥＬディスプレイは表示部が略長方形形状であり、梁は長尺方向に沿って配置されている。梁３が撓まない構造であるので梁に接続されている基材は長尺方向において撓むことを防ぐことが出来る。
【００１４】
本実施形態に係る有機ＥＬディスプレイは基材の一辺のみに梁を設けている。したがって対向する長辺においては基材が可撓性である場合撓ませることが出来る。
【００１５】
本実施形態に係る有機ＥＬディスプレイは、短辺に梁を設けていない。したがって短辺方向においては基材が可撓性である場合撓ませることが出来るので梁に対して表示部である有機ＥＬ素子アレイをページのようにめくることが出来る。
【００１６】
本実施形態に係る有機ＥＬディスプレイは有機ＥＬ素子アレイの画像を表示させる制御部あるいは電源の少なくとも何れか一方を梁に設けても良い。その結果制御部あるいは電源の少なくとも一方が撓まない梁により外部からの力から保護される。
【００１７】
本実施形態に係る有機ＥＬディスプレイは基材につまみ５を設けても良い。つまみ５を設けることで表示部である有機ＥＬ素子アレイを梁３に対して容易に回動させることが出来る。なお、つまみ部にスイッチ６を設けても良い。
【００１８】
（第２の実施の形態）
本実施の形態に係る有機ＥＬディスプレイは、別の前記有機ＥＬディスプレイと接続する接続部を梁に有することを特徴とする。それ以外は第１の実施の形態と同じである。
【００１９】
図２は本実施の形態に係る複数の有機ＥＬディスプレイを接続させた状態を示す模式図である。接続部は不図示であるが、図示するように２枚の有機ＥＬディスプレイが梁３において互いに接続されており、各有機ＥＬディスプレイの一辺がそれぞれ揃うように接続されている。このような接続が出来ることで梁を背表紙とみなし、表示部をページとみなす有機ＥＬディスプレイによる本を提供することが出来る。
【００２０】
このような構成において有機ＥＬディスプレイが有用な理由は有機ＥＬディスプレイが液晶ディスプレイとことなり、バックライトが不要で薄いという利点がある。それ以外に液晶に比べて視野角変化がほとんどなく、したがって本のページを少しだけ開く動作であってもわずかの隙間から２枚の表示部を同時に明瞭に眺めることが可能であるという利点もある。
【００２１】
本実施の形態に係る有機ＥＬディスプレイは一枚の基材２の表裏面それぞれに有機ＥＬ素子アレイを設けて基材２の両面で表示可能な構成にしても良い。両面はそれぞれ個別にひ表示が出来ても良いしあるいは同じ表示が出来ても良い。同じ表示の場合各面の画像が鏡像関係になっている画像でも良い。
【００２２】
本実施の形態に係る有機ＥＬディスプレイでは２枚の有機ＥＬディスプレイを挙げて説明したが、３枚以上の有機ＥＬディスプレイを互いに接続する構成でも良い。
【００２３】
（第３の実施の形態）
本実施の形態に係る有機ＥＬディスプレイは複数枚の有機ＥＬディスプレイを面内方向に並べて複数の有機ＥＬ素子アレイによりひとつの画像を表示することを特徴とする。それ以外は第１の実施の形態と同じである。
【００２４】
その様子を図３に示す。図３は２枚の有機ＥＬディスプレイを長尺方向に横に並べて同一画像を表示している状態を示す模式図である。
【００２５】
ひとつの画像を表示する場合、画像情報の発信源は何れか一方の有機ＥＬディスプレイあるいは不図示の別体の画像情報発信源であってもよい。
【図面の簡単な説明】
【００２６】
【図１】第１の実施の形態に係る有機ＥＬディスプレイを示す模式図である。
【図２】第２の実施の形態に係る有機ＥＬディスプレイを示す模式図である。
【図３】第３の実施の形態に係る有機ＥＬディスプレイを示す模式図である。
【符号の説明】
【００２７】
１  表示部である有機ＥＬ素子アレイ
２  基材
３  梁
４  可動部材
５  つまみ
６  スイッチ
【図１】
2006134699.tif 000003
【図２】
2006134699.tif 000004
【図３】
2006134699.tif 000005